(57)【要約】【課題】設置場所の選択肢の自由度を高めることが可能であり、しかも、複合機の上側のスペースを省減することにより室内の有効スペースを拡大させることが可能な手段を提供すること。【解決手段】複合機１０は、プリンタ筐体１４、スキャナ筐体１５、原稿カバー１７、リンク機構５０を有する。スキャナ筐体１５の上部に原稿保持台３０が前後方向にスライド可能に支持されている。原稿カバー１７と原稿保持台３０とはリンク機構５０で連結されている。リンク機構５０は、原稿保持台３０のスライド動作に連動して原稿カバー１７を閉姿勢から中間姿勢の間で回動させる。詳細には、原稿保持台３０が引き出されると原稿カバー１７が閉姿勢から中間姿勢まで回動し、原稿保持台３０が元の位置に戻されると原稿カバー１７が中間姿勢から閉姿勢となる。【選択図】図１
2011139389.tif 000002
【特許請求の範囲】
【請求項１】
下部に設けられた画像記録ユニットと、上部に設けられたスキャナユニットとを備えた複合機であって、
上記スキャナユニットは、
ユニット本体と、
上記ユニット本体の上部に配置された第１位置と上記ユニット本体から当該装置の正面側へ引き出された第２位置との間でスライド可能に支持され、読み取られる原稿が保持される原稿保持面を有する原稿保持プレートと、
上記ユニット本体の背面側を回動中心として上記原稿保持面を覆う第１回動姿勢と上記原稿保持面が露出される第２回動姿勢との間で回動可能なカバー部材と、
上記第１位置から上記第２位置への上記原稿保持プレートのスライド動作に連動して上記カバー部材を上記第１回動姿勢から上記第２回動姿勢よりも回動角の小さい第３回動姿勢まで回動させて該第３回動姿勢を維持するリンク機構と、を具備する複合機。
【請求項２】
上記リンク機構は、
上記ユニット本体に軸支された回動軸と、
上記回動軸に連結され、上記回動軸から当該装置の正面側へ延出され上記カバー部材の裏面を支持する第１アーム及び上記回動軸から当該装置の背面側へ延出され上記原稿保持プレートの上面で支持される第２アームを有するリンクアームと、
上記第１アームを上方へ付勢する弾性部材と、
上記原稿保持プレートよりも下方に配置され、上記第２アームの先端を支持可能な支持部と、を有し、
上記原稿保持プレートが上記第１位置から上記第２位置へ向けてスライドされたことによって上記原稿保持プレートによる上記第２アームの先端の支持がなくなると、上記弾性部材の付勢力によって上方へ付勢された上記第１アームによって上記カバー部材が上記第１回動姿勢から上記第２回動姿勢へ向けて回動され、上記第２アームの先端が上記支持部に当接することによって、上記カバー部材の回動が規制されて上記カバー部材は上記第３回動姿勢で静止する請求項１に記載の複合機。
【請求項３】
上記第２アームの先端にコロが設けられている請求項２に記載の複合機。
【発明の詳細な説明】
【技術分野】
【０００１】
本発明は、下部に設けられた画像記録ユニットと、上部に設けられたスキャナユニットとを備えた複合機に関し、特に、原稿保持面を有する原稿保持プレートが可動に構成された複合機に関する。
【背景技術】
【０００２】
従来、原稿の画像を読み取る機能（スキャン機能）を有するスキャナユニットと記録用紙に画像を記録する機能（プリント機能）を有する画像記録ユニットとを備えた複合機が広く知られている。一般的な複合機は、画像記録ユニットが下部に設けられ、スキャナユニットが上部に設けられている。スキャナユニットには、読取対象である原稿が載置される原稿保持プレートと、原稿保持プレートに対して開閉可能な原稿カバーとが設けられている。原稿保持プレートに原稿が載置された後に原稿カバーが閉じられ、その状態でスキャナ動作がスタートすると、原稿保持プレートの下方に配置された読取素子が原稿保持プレートの裏面に沿って移動しつつ、原稿の画像を読み取る。この種の複合機としては、例えば、コンタクトガラスが原稿カバーと同様に回動可能な画像読取装置を備えたものが公知である（特許文献１参照）。
【先行技術文献】
【特許文献】
【０００３】
【特許文献１】特開平１１−２１５３１４号公報
【発明の概要】
【発明が解決しようとする課題】
【０００４】
しかしながら、従来の複合機では、原稿保持面に原稿を載置する際は、原稿保持面を露出させるために、原稿カバーを上方へ回動しなければならない。このため、オフィスなどで使用されているキャビネットやラックに複合機を設置する場合は、原稿カバーの開閉を可能とするために、複合機とその上側にある棚板との間に十分なスペースを確保しなければならない。言い換えると、上記スペースを確保できる場所にしか複合機を設置できないため、従来の複合機では、その設置場所が制限される。また、上記スペースは、複合機がフラットベットスキャナとして使用される場合（つまり、原稿カバーが開閉される場合）に限って必要とされるものであって、例えば複合機がプリンタとして使用される場合は、上記スペースは不必要である。複合機が有する複数の機能それぞれの使用頻度はユーザの使用環境次第であるが、スキャン機能の使用頻度がプリント機能の使用頻度よりも圧倒的に少ない場合は、ユーザは、従来の複合機に対して上記スペースを無駄に感じる場合がある。仮に、上記スペースを十分に確保できない場所に複合機が設置された場合は、原稿カバーの開閉動作が制限される。そのため、ユーザは、原稿カバーを半開き状態にして原稿を原稿保持面に載置することを強いられる。この場合、原稿を原稿保持面に正確に載置することができない。
【０００５】
本発明は、上記問題に鑑みてなされたものであり、その目的は、設置場所の選択肢の自由度を高めることが可能であり、しかも、複合機の上側のスペースを省減することにより室内の有効スペースを拡大させることが可能な手段を提供することにある。
【課題を解決するための手段】
【０００６】
(1)  本発明は、下部に設けられた画像記録ユニットと、上部に設けられたスキャナユニットとを備えた複合機として構成されている。上記スキャナユニットは、ユニット本体と、上記ユニット本体の上部に配置された第１位置と上記ユニット本体から当該装置の正面側へ引き出された第２位置との間でスライド可能に支持され、読み取られる原稿が保持される原稿保持面を有する原稿保持プレートと、上記ユニット本体の背面側を回動中心として上記原稿保持面を覆う第１回動姿勢と上記原稿保持面が露出される第２回動姿勢との間で回動可能なカバー部材と、上記第１位置から上記第２位置への上記原稿保持プレートのスライド動作に連動して上記カバー部材を上記第１回動姿勢から上記第２回動姿勢よりも回動角の小さい第３回動姿勢まで回動させて該第３回動姿勢を維持するリンク機構と、を具備する。
【０００７】
このように構成されているため、ユーザは、原稿保持プレートを第１位置から第２位置へ引き出すことによって、原稿保持面に原稿を正確に載置することが可能となる。また、リンク機構によって原稿保持プレートのスライドに連動してカバー部材が第１回動姿勢から第３回動姿勢まで回動されるので、原稿保持面に原稿を載置した後に原稿保持プレートを第１位置に戻しても、原稿の位置がずれることなく正確にセットされる。また、カバー部材は、原稿保持プレートが第１位置から第２位置へ移動したことに連動して、第１回動姿勢から第３回動姿勢まで回動されるが、それ以上は回動されない。このため、複合機の上方に確保すべきスペースを省減することができ、それ故に、室内の有効スペースが拡大する。また、上方に十分なスペースを確保できない狭い場所にも複合機を設置することができるので、複合機の設置場所の選択肢が拡がる。
【０００８】
(2)  上記リンク機構は、上記ユニット本体に軸支された回動軸と、上記回動軸に連結され、上記回動軸から当該装置の正面側へ延出され上記カバー部材の裏面を支持する第１アーム及び上記回動軸から当該装置の背面側へ延出され上記原稿保持プレートの上面で支持される第２アームを有するリンクアームと、上記第１アームを上方へ付勢する弾性部材と、上記原稿保持プレートよりも下方に配置され、上記第２アームの先端を支持可能な支持部と、を有していることが好ましい。この構成において、上記原稿保持プレートが上記第１位置から上記第２位置へ向けてスライドされたことによって上記原稿保持プレートによる上記第２アームの先端の支持がなくなると、上記弾性部材の付勢力によって上方へ付勢された上記第１アームによって上記カバー部材が上記第１回動姿勢から上記第２回動姿勢へ向けて回動され、上記第２アームの先端が上記支持部に当接することによって、上記カバー部材の回動が規制されて上記カバー部材は上記第３回動姿勢で静止する。
【０００９】
(3)  上記第２アームの先端にコロが設けられていることが好ましい。これにより、第２アームと原稿保持プレートとの接触が円滑となる。
【発明の効果】
【００１０】
本発明の複合機によれば、設置場所の選択肢の自由度を高めることができ、しかも、上側のスペースを省減することにより室内の有効スペースを拡大させることができる。
【図面の簡単な説明】
【００１１】
【図１】図１は、本発明の実施形態の一例である複合機１０の外観構成を示す模式斜視図である。
【図２】図２は、レール支持機構４０の構成を示す模式斜視図である。
【図３】図３は、図２における切断面ＩＩＩ−ＩＩＩの断面図である。
【図４】図４は、複合機１０に原稿保持台３０が収容されたときの原稿保持台３０及びリンク機構５０の構成及び位置関係を示す模式図である。
【図５】図５は、複合機１０から原稿保持台３０が引き出されたときの原稿保持台３０及びリンク機構５０の構成及び位置関係を示す模式図である。
【図６】図６は、原稿保持台３０のスライドに連動する原稿カバー１７の動作を説明するための模式図であり、図４における切断線ＶＩ−ＶＩの模式断面が示されている。
【図７】図７は、原稿カバー１７の開閉動作を説明するための模式図であり、図４における切断線ＶＩ−ＶＩの模式断面が示されている。
【発明を実施するための形態】
【００１２】
以下、適宜図面を参照して本発明の実施形態について説明する。なお、以下に説明される実施形態は本発明の一例にすぎず、本発明の要旨を変更しない範囲で、本発明の実施形態を適宜変更できることは言うまでもない。
【００１３】
［複合機１０の概略構成］
図１は、本発明の実施形態の一例である複合機１０の外観構成を示す模式斜視図であって、（Ａ）には、後述する原稿保持台３０（本発明の原稿保持プレートの一例）が複合機１０に収容された状態が示されており、（Ｂ）には、原稿保持台３０が複合機１０から手前側（正面側）に引き出された状態が示されている。なお、以下の説明においては、複合機１０が使用可能に設置された状態（図１に示される状態）を基準として上下方向７を定義し、開口１３が設けられている側を手前側（正面）として前後方向８を定義し、複合機１０を手前側（正面）から見て左右方向９を定義する。
【００１４】
図１に示されるように、複合機１０は、高さ（上下方向７の長さ）に対して横幅（左右方向９の長さ）及び奥行き（前後方向８の長さ）が大きい直方体に概ね形成されている。この複合機１０は、プリント機能及びスキャン機能を有しており、下部にプリンタ機能を実現するプリンタ装置１１が設けられ、上部にスキャン機能を実現するスキャナ装置１２が設けられている。一般に、この種の複合機は、スキャナ装置単体に比べて高さが大きく、そのため、スキャナ装置単体に比べて設置場所が限定される。なお、本発明は、上記２つの機能を有する本実施形態の複合機１０に限られず、例えば、コピー機能のみを有する複写機、更にファクシミリ機能が付加された複合機などにも適用可能である。
【００１５】
［プリンタ装置１１の概略構成］
複合機１０の下部にインクジェット記録方式のプリンタ装置１１（本発明のプリンタユニットの一例）が設けられている。プリンタ装置１１は、正面に開口１３が形成されたプリンタ筐体１４を有する。開口１３に記録用紙を収容するためのトレイ２４が装着されている。上記プリント機能を実現するための複数の構成要素、例えば、記録用紙を搬送するための搬送ローラや、記録用紙に向けて微小なインク滴を吐出する記録ヘッド、トレイ２４から記録ヘッドに至る用紙搬送ガイドなどは、プリンタ筐体１４の内部に設けられている。トレイ２４から後方へ送り出された記録用紙は、用紙搬送ガイドによって上方へ向けられてＵターンするように前方側へ搬送され、その後、上記記録ヘッドに到達する。そして、記録ヘッドによって記録用紙に対する画像記録が行われると、記録用紙は更に前方側へ搬送されて、トレイ２４の上面カバー２５上に排出される。なお、プリンタ装置１１は、インクジェット記録方式のものに限られず、電子写真方式或いは熱転写方式のものであってもよい。
【００１６】
［スキャナ装置１２の概略構成］
プリンタ装置１１の上部にスキャナ装置１２（本発明のスキャナユニットの一例）が設けられている。スキャナ装置１２は、薄く形成された概ね直方体形状のスキャナ筐体１５（本発明のユニット本体の一例）と、原稿保持台３０と、原稿カバー１７（本発明のカバー部材の一例）と、リンク機構５０（本発明のリンク機構の一例）とを有する。上記スキャン機能を実現するための複数の構成要素、例えば、ＣＩＳやＣＣＤなどの読取素子、読取素子を移動させる駆動機構などは、スキャナ筐体１５の内部に設けられている。
【００１７】
原稿保持台３０は、スキャナ筐体１５の上部に設けられている。原稿保持台３０は、長方形状のコンタクトガラス３１と、コンタクトガラス３１の四辺を取り囲むようにしてコンタクトガラス３１を支持する枠フレーム３２とにより構成されている。枠フレーム３２の正面側には取っ手３４が設けられている。また、枠フレーム３２の後方端部には、後方斜め下方へ傾斜する傾斜板３６が設けられている。なお、透明な板状の部材であれば、コンタクトガラス３１に代えて、ガラス以外の素材で構成された板部材、例えばアクリル板を採用することも可能である。
【００１８】
原稿保持台３０は、スキャナ筐体１５の上側でスライド可能に支持されている。本実施形態では、原稿保持台３０は、スキャナ筐体１５の上部に配置されてその上面の開口１６を覆う第１位置（図１（Ａ）参照）と、スキャナ筐体１５から正面側に引き出されてコンタクトガラス３１の全面が露出される第２位置（図１（Ｂ）参照）との間でスライド可能となっている。このため、ユーザは、取っ手３４を持って前方へ引っ張ることにより原稿保持台３０を前方へ引き出すことができる。
【００１９】
原稿保持台３０のスライド支持機構は、スキャナ筐体１５に設けられたレール支持機構４０によって実現されている。図２は、レール支持機構４０の構成を示す模式斜視図である。図３は、図２における切断面ＩＩＩ−ＩＩＩの断面図であって、レール支持機構４０のストッパー４９が詳細に示されている。図１に示されるように、開口１６における左右方向９の両端部それぞれにレール４１が設けられている。図２に示されるように、レール４１は概ね断面がコの字状に形成されており、その溝部に原稿保持台３０の枠フレーム３２の左右方向９の両端部が挿入されている。レール４１は、その溝部に枠フレーム３２の両端部を挿入した状態で、原稿保持台３０を前後方向８へスライド可能に支持している。本実施形態では、原稿保持台３０が、図２（Ａ）に示される第１位置から正面側へ引き出されて図２（Ｂ）に示される第２位置に到達すると、レール支持機構４０のストッパー４９によって、正面側へのそれ以上のスライド移動が規制される。具体的には、レール４１の下側支持部４２から上方へ突出した突起状のストッパー４９がレール４１に設けられており、原稿保持台３０が第２位置に到達すると、図３に示されるように、ストッパー４６が原稿保持台３０の枠フレーム３２に形成された切り欠き溝４５に挿入される。これにより、ストッパー４９によって、原稿保持台３０が正面側へ引き出されることが規制される。なお、ストッパー４９の前方側は傾斜されており、さらに、ストッパー４９は、上下方向へ弾性変形可能に形成されている。したがって、原稿保持台３０が第２位置から第１位置へスライドされる際には、切り欠き溝４５の正面側の縁部４６がストッパー４９の傾斜面に沿って後方へ移動するとともに、ストッパー４９が下方へ弾性変形する。これにより、ストッパー４９は切り欠き溝４５から外さるので、原稿保持台３０が第２位置から第１位置へスライド移動可能となる。
【００２０】
スキャナ筐体１５には、原稿保持台３０の上面を覆うための原稿カバー１７が取り付けられている。原稿カバー１７は、上記第１位置に配置された原稿保持台３０に対して開閉可能なように、スキャナ筐体１５の背面部において蝶番などの支持機構１８（図６参照）によって支持されている。これにより、原稿カバー１７は、背面側を回動中心として、原稿保持台３０のコンタクトガラス３１の上面を覆う閉姿勢（図７（Ａ）に示される姿勢）と、コンタクトガラス３１の上面から上方へ離間した開姿勢（図７（Ｂ）に示される姿勢）との間で回動可能となる。原稿カバー１７が開姿勢となると、原稿保持台３０が上記第１位置に配置されている場合でも、コンタクトガラス３１の上面（本発明の原稿保持面に相当）が露出される。なお、上記閉姿勢が本発明の第１回動姿勢に相当し、上記開姿勢が本発明の第２回動姿勢に相当する。
【００２１】
このようなスキャナ装置１２に原稿の画像を読み取らせる方法は２通りある。一つは、原稿保持台３０が上記第１位置に配置された状態で原稿カバー１７を閉姿勢から開姿勢まで回動させてコンタクトガラス３１の上面を露出させ、そして、コンタクトガラス３１上に原稿を載置した後に原稿カバー１７を閉姿勢にし、その後、読取動作を開始させる従来の方法である。もう一つは、原稿カバー１７が閉姿勢の状態で原稿保持台３０を第１位置から第２位置まで引っ張り出してコンタクトガラス３１の上面を露出させ、そして、コンタクトガラス３１上に原稿を載置した後に原稿保持台３０を後方へ押しつけて第１位置まで戻す方法である。但し、後者の方法では、原稿保持台３０を第１位置に戻す際に、コンタクトガラス３１の上面に載置した原稿が原稿カバー１７の裏面と接触して位置ズレを起こしたり、場合によっては、コンタクトガラス３１と原稿カバー１７との間に原稿が入り込む隙間がないために、原稿保持台３０だけが第１位置に進み、原稿が原稿カバー１７の下側に入り込まない場合がある。しかしながら、本実施形態の複合機１０では、後述するリンク機構５０が設けられているために、原稿保持台３０が第１位置に戻るまでの間、原稿保持第３０はリンク機構５０によって持ち上げられた状態を維持する。そのため、上記後者の方法で画像を読み取らせる場合でも、位置ズレを起こすことなく正確に原稿をコンタクトガラス３１にセットできる。
【００２２】
［リンク機構５０］
以下、図４乃至図６を参照して、リンク機構５０の構成及び動作について説明する。図４及び図５は、原稿保持台３０及びリンク機構５０の構成及び位置関係を示す模式図である。図４には、複合機１０に原稿保持台３０が収容されたときの状態が示されており、（Ａ）は平面図であり、（Ｂ）は斜視図である。また、図５には、複合機１０から原稿保持台３０が引き出された状態が示されており、（Ａ）は平面図であり、（Ｂ）は斜視図である。なお、図４（Ａ）及び図５（Ａ）では、説明の便宜上、原稿カバー１７及びスキャナ筐体１５の一部（後述するリンク収容部５２）が省略されており、図４（Ｂ）及び図５（Ｂ）ではリンク機構５０及び原稿保持台３０のみが示されている。また、図６は、図４における切断線ＶＩ−ＶＩの模式断面図である。また、図４乃至図６では、説明の便宜上、レール支持機構４０が省略されている。
【００２３】
図４に示されるように、リンク機構５０は、スキャナ筐体１５の左端部に設けられている。詳細には、スキャナ筐体１５の左端部に形成されたボックス状のリンク収容部５２（図１参照）の内部に設けられている。このリンク機構５０は、上記第１位置から上記第２位置への原稿保持台３０のスライド動作に連動して原稿カバー１７を上記閉姿勢から上記開姿勢よりも回動角の小さい中間姿勢（本発明の第３回動姿勢に相当）まで回動させて、原稿カバー１７を中間姿勢に維持する機能を有する。
【００２４】
上記機能を実現するべく、リンク機構５０は、前後方向８に沿って延びるリンクアーム５４（本発明のリンクアームの一例）と、回動軸５６（本発明の回動軸の一例）と、ねじりコイルバネ６９（本発明の弾性部材の一例）と、支持板６７（本発明の支持部の一例）とにより構成されている。
【００２５】
リンクアーム５４は、左右方向９の両側面が幅広の鉛直面となる平板部材で形成されている。リンクアーム５４の左側面に回動軸５６が設けられている。回動軸５６は、リンクアーム５４の左側面から左方向へ突出した円柱状の部材からなる。本実施形態では、図示されるように、回動軸５６は、リンクアーム５４の前後方向８の中央部よりも若干後方側に設けられている。リンク収容部５２の内部には、スキャナ筐体１５と一体に形成された軸受け（不図示）が設けられており、この軸受けに回動軸５６が回動可能に支持されている。これにより、リンクアーム５４は、回動軸５６の軸心を回動中心として回動可能となる。
【００２６】
リンクアーム５４は、第１アーム５８（本発明の第１アームの一例）と第２アーム５９（本発明の第２アームの一例）とを有する。第１アーム５８は、回動軸５６から複合機１０の正面側（前方）へ延びている。第１アーム５８の先端部（前方側の端部）には、右方向へ延びる円柱状の支軸６１が設けられている。この支軸６１は、原稿カバー１７の裏面に設けられた軸受け溝６２（図６参照）に挿入可能な位置及びサイズに形成されている。支軸６１が軸受け溝６２に挿入されることで、原稿カバー１７がその裏面側で第１アームの支軸６１によって支持される。なお、原稿カバー１７の裏面には、前後方向８に延びるリブ板６３が設けられており、軸受け溝６２は、リブ板６３の前方側に形成されている。この軸受け溝６２は、リブ板６３の下端（原稿保持台３０側の端部）が上方へ向けて溝状に切り欠かれることによって形成される。
【００２７】
第２アーム５９は、回動軸５６から複合機１０の背面側（後方）へ延びている。第２アーム５９の先端部（後方側の端部）には、右方向へ延びる円柱状の支軸６４と、その支軸６４に回転可能に支持されたコロ６５（本発明のコロの一例）が設けられている。コロ６５は、枠フレーム３２の左端部上面の支持面３３に当接可能な位置に設けられている。コロ６５は、原稿保持台６０が第１位置に配置されている場合は、枠フレーム３２の支持面３３で支持されるが、原稿保持台６０が第１位置から第２位置へスライドされる過程で、原稿保持台６０の後端から下方へ落ちるため、支持面３３で支持されなくなる。
【００２８】
ねじりコイルバネ６９は、回転軸５６に支持されている。ねじりコイルバネ６９は、第１アーム５８を上方へ付勢させる付勢力をリンクアーム５４に付与している。この付勢力は、第１アーム５８を上方へ持ち上げるとともに、支軸６１を介して原稿カバー１７を閉姿勢から開方向へ回動させるに足る程度の力に設定されている。このようなねじりコイルバネ６９が設けられているため、他の外力が加えられていない状態では、リンクアーム５４は、左側面視で回動軸５６を中心に反時計回転方向へ回転しようとし、この回転にともなって、第１アーム５８が原稿カバー１７を同方向（開方向）へ回動させる。なお、上述の条件を満たす付勢力を第１アーム５８に付与するものであれば、ねじりコイルバネ６９に限られず、様々な弾性部材を適用することが可能である。
【００２９】
支持板６７は、スキャナ筐体１５の背面側に設けられている。この支持板６７は、スキャナ筐体１５の背面から水平に前方へ突出した板状の部材である。図６に示されるように、支持板６７は、原稿保持台３０よりも下方に配置されている。この支持板６７は、コロ６５の直下に設けられている。そのため、コロ６５が原稿保持台３０で支持されなくなった場合は、コロ６５は支持板６７によって支持される。
【００３０】
［リンク機構５０の動作］
このようなリンク機構５０が設けられているため、原稿保持台３０のスライド動作に連動して原稿カバー１７が回動する。以下、リンク機構５０の動作について説明する。図６（Ａ）に示されるように、原稿カバー１７が閉姿勢であり、原稿保持台３０が第１位置にあるときは、コロ６５は枠フレーム３２の支持面３３に当接した状態で静止している。このとき、ねじりコイルバネ６９によって回動軸５６を中心にして反時計回転方向への付勢力がリンクアーム５４に付与されているが、第２アーム５９がコロ６５を介して枠フレーム３２の支持面３３によって支持されることで、上記反時計回転方向への回動が規制される。そのため、コロ６５が枠フレーム３２の支持面３３に当接した状態でリンクアーム５４は静止状態を維持する。
【００３１】
原稿保持台３０が第１位置から第２位置へ向けて引き出されると、コロ６５は回転しながら原稿保持台３０に対して相対的に後方へ移動する。そして、原稿保持台３０が更に引き出されてコロ６５が傾斜板３６を通過すると、コロ６５はスキャナ筐体１５の背面と原稿保持台３０の後端部との隙間に落ち込み、原稿保持台３０によって支持されなくなる。これにより、上記反時計回転方向への規制が解除されるので、ねじりコイルバネ６９による付勢力によって上方へ付勢されていた第１アームが反時計回転方向へ回転し始め、この回転に伴って原稿カバー１７が上方へ持ち上げられる。
【００３２】
また、第２アーム５９もコロ６５と共に反時計回転方向へ回転するが、コロ６５が支持板６７に当接して支持されると、再び、上記反時計回転方向への回動が規制される。そのため、コロ６５が支持板６７に当接した状態でリンクアーム５４は再び静止状態となる。このとき、原稿カバー１７は、開姿勢と閉姿勢との間の中間姿勢（図６（Ｃ）参照）まで持ち上げられ、それ以降の上方への移動は規制される。なお、上記中間姿勢は、原稿カバー１７の裏面とコンタクトガラス３１との間に原稿を載置可能なスペース（隙間）が形成される程度に設定されている。
【００３３】
その後、原稿保持台３０が第２位置まで引き出されると、コンタクトガラス３１の全面が露出される。この状態で、コンタクトガラス３１に原稿を載置することが可能となる。コンタクトガラス３１に原稿が載置された後に原稿保持台３０が第２位置から第１位置へ押し込まれると、コンタクトガラス３１に載置された原稿が読み取り可能な位置に配置される。この際、原稿保持台３０が第１位置に近づくと、まず、傾斜板３６によって掬い上げられるようにしてコロ６５が傾斜板３６の上面に乗り上がる。そして、更に原稿保持台３０が押し込まれて第１位置に配置されると、コロ６５が枠フレーム３２の支持面３３上に配置されて、図６（Ａ）に示される状態となる。なお、原稿保持台３０が第２位置から第１位置へスライドされる過程では、原稿カバー１７を上方へ付勢する力が軸受け溝６２に付与されない。そのため、原稿カバー１７は、その自重によって中間姿勢から閉姿勢に戻る。
【００３４】
なお、図７に示されるように、原稿カバー１７を開姿勢にしてからコンタクトガラス３１に原稿を載置する場合は、従来どおり、原稿カバー１７の正面側を上方へ持ち上げることにより、原稿カバー１７だけを上方へ回動させることができる。
【００３５】
［実施形態の効果］
このように、リンク機構５０によって原稿保持台３０のスライドに連動して原稿カバー１７が閉姿勢から中間姿勢まで回動されるので、コンタクトガラス３１に原稿を載置した後に原稿保持台３０を第１位置に戻しても、原稿の位置がずれることなく正確にセットされる。また、原稿カバー１７は中間姿勢まで回動されるが、それ以上は回動されないので、複合機１０の上方に確保すべきスペースを省減することができる。そのため、室内の有効スペースが拡大する。また、複合機１０の利用が阻害されることなく、上方に十分なスペースを確保できない狭い場所にも複合機１０を設置することができるので、複合機の設置場所の選択肢が拡がる。
【符号の説明】
【００３６】
１０・・・複合機
１１・・・プリンタ装置
１２・・・スキャナ装置
１４・・・プリンタ筐体
１５・・・スキャナ筐体
１７・・・原稿カバー
３０・・・原稿保持台
３１・・・コンタクトガラス
３６・・・傾斜板
５０・・・リンク機構
５４・・・リンクアーム
５６・・・回動軸
５８・・・第１アーム
５９・・・第２アーム
６１・・・支軸
６２・・・軸受け溝
６３・・・リブ板
６４・・・支軸
６５・・・コロ
６７・・・支持板
６９・・・ねじりコイルバネ
【図１】
2011139389.tif 000003
【図２】
2011139389.tif 000004
【図３】
2011139389.tif 000005
【図４】
2011139389.tif 000006
【図５】
2011139389.tif 000007
【図６】
2011139389.tif 000008
【図７】
2011139389.tif 000009